(57)【特許請求の範囲】
【請求項１】
二酸化炭素排出量が表示されたアウタースケールに、二酸化炭素排出源のアイテム並びに前記二酸化炭素排出源を廃棄若しくは使用する数、時間若しくは量が表示されたシート状のインナースケールを差し込みスライドさせ、アウタースケールに表示された二酸化炭素排出量を読み取るように構成した二酸化炭素排出量計算用計算尺において、前記アウタースケールを透明で両端のあいた偏平な鞘状とし、かつ、前記アウタースケール１枚に対し前記インナースケールを複数枚として、前記複数枚のインナースケールにそれぞれ種類の異なる一群の二酸化炭素排出源のアイテム並びに前記二酸化炭素排出源を廃棄若しくは使用する数、時間若しくは量を表示し、インナースケールを交換可能としたことを特徴とする二酸化炭素排出量計算用計算尺。
【請求項２】
前記アウタースケールは、透明なプラスチックシートを折り重ねて作製したものであることを特徴とする請求項１に記載の二酸化炭素排出量計算用計算尺。
【請求項３】
前記インナースケールは、紙又はプラスチックシートからなることを特徴とする請求項１又は２に記載の二酸化炭素排出量計算用計算尺。
【請求項４】
前記インナースケールのうちの１枚に前記二酸化炭素排出源である一群のリサイクル容器のアイテム並びに前記容器をリサイクルする個数を表示することを特徴とする請求項１〜３のいずれか一項に記載の二酸化炭素排出量計算用計算尺。
【請求項５】
前記インナースケールのうちの１枚に前記二酸化炭素排出源である一群の交通手段のアイテム並びに前記交通手段を使用する距離を表示することを特徴とする請求項１〜３のいずれか一項に記載の二酸化炭素排出量計算用計算尺。
【請求項６】
前記インナースケールのうちの１枚に前記二酸化炭素排出源である一群のゴミのアイテム並びに前記ゴミを廃棄する個数若しくは冊数を表示することを特徴とする請求項１〜３のいずれか一項に記載の二酸化炭素排出量計算用計算尺。
【請求項７】
前記インナースケールのうちの１枚に前記二酸化炭素排出源である一群の水まわりの設備若しくは機器のアイテム並びに前記水まわりの設備若しくは機器を使用する回数を表示することを特徴とする請求項１〜３のいずれか一項に記載の二酸化炭素排出量計算用計算尺。
【請求項８】
前記インナースケールのうちの１枚に前記二酸化炭素排出源である一群の電化製品のアイテム並びに前記電化製品を使用する時間を表示することを特徴とする請求項１〜３のいずれか一項に記載の二酸化炭素排出量計算用計算尺。
【請求項９】
前記インナースケールは、両面を使用可能に構成され、前記数、時間若しくは量のうち小さな値が一方の面に、大きな値が他方の面に、それぞれ対数目盛で表示され、前記アウタースケールは、二酸化炭素排出量が、一方の面にｇの単位、他方の面にｋｇの単位を用いて対数目盛で表示され、前記インナースケールの小さな値が前記アウタースケールのｇの単位に、前記インナースケールの大きな値が前記アウタースケールのｋｇの単位に対応するように差し込まれて使用されることを特徴とする請求項１〜８のいずれか一項に記載の二酸化炭素排出量計算用計算尺。
【発明の詳細な説明】
【技術分野】
【０００１】
本発明は、二酸化炭素排出源ごとに二酸化炭素排出量を簡便に計算でき、二酸化炭素排出量を削減するための指標を提供できる二酸化炭素排出量計算用計算尺に関する。
【背景技術】
【０００２】
２００５年２月に発効した「気候変動に関する国際連合枠組条約の京都議定書」で、日本は二酸化炭素排出量を２０１２年までに１９９０年当時のマイナス６％に減らさなければならないことになっているが、二酸化炭素排出量の削減は思うように進んでいない。その原因として、産業界における排出量削減が十分ではないことと共に、家庭由来の二酸化炭素が増加していることが挙げられている。
【０００３】
そこで、岩手県では、そのような家庭由来の二酸化炭素の削減に寄与する目的で、人間の行動が環境に与える負荷を計測する物差（計算尺）として「環境尺」を考案し、一般の人に環境負荷を実感してもらうために、ホームページで公開している（非特許文献１）。
【非特許文献１】www.pref.iwate.jp/~hp0315/kankyosyaku/kannkyosyaku.htm
【０００４】
この「環境尺」は、紙で作製されたものであり、固定された上尺及び下尺、並びに上尺及び下尺の間に差し込まれスライドする中尺からなり、中尺に環境負荷の原因になる項目が、製造に要するエネルギー又は処分に伴って発生するエネルギーに相当する二酸化炭素の重量が求められるように表記してあり、中尺をスライドさせて、上記項目の一つを下尺の１００に合わせると相当する二酸化炭素の重量が上尺又は下尺から求められるというものである。
【０００５】
上記の中尺に表記された項目は、「アルミ」（缶など）、「水素」、「プロパン」、「都市ガス」、「ガソリン」、「スチール」（缶など）、「プラスチック」、「木紙」、「酸素」、「ごみ」、「水道」（水道水）、「ｍ、ｋｍ」（自動車の走行距離）、「Ｗｈ、ｋＷｈ」（電力使用量）、「ガラス」、「汚水」、「生ごみ」、「コンクリート」であり、それぞれ、製造エネルギー、酸素と反応する燃焼エネルギー、消費エネルギーなどをＣＯ２に換算したものが求められるようになっている。
【０００６】
上記の「環境尺」は、日常生活における二酸化炭素排出量が簡単に分かる点で非常に優れたものであるが、様々な環境負荷の原因になる項目（二酸化炭素排出源）が、中尺に一緒に表示されているために、内容を読み取り難く、操作し難いという問題があった。また、紙のみで作製されているために、水に濡れた場合に、使えなくなってしまうという問題があった。
【０００７】
また、二酸化炭素排出量が計算できる省エネ計算尺として、「同心円形の大円の円周外側部および前記同心円形の小円の円周内側部にエネルギー消費量指標値を指示する印および環境指標値を指示する印のいずれか一方がそれぞれ記載された板状の本体と、前記本体の同心円形の上部に中心点を同じにして配置され前記小円と重なる部分は透明部材で形成されたダイヤル部と、前記ダイヤル部の透明部材の外周の前記大円と重なる部分に形成され前記エネルギー消費量指標値および環境指標値がそれぞれ記載された円環帯体部と、前記本体の同心円形の中心点を中心に回動するように前記ダイヤル部を前記本体に取り付けるための取付部材とを備えたことを特徴とする省エネ計算尺。」が公知であり（特許文献１参照）、特許文献１には、「本体１１の上部にダイヤル部１５が同心円の中心点を中心にして取付部材１６により取り付けられ、本体１１の小円１４と重なる部分は透明部材１８で形成されている。このことから、小円１４の円周内側部に記載されたエネルギー種別毎の環境指標値を指示する印２０ｂ、２０ｃ、２０ｄ、２０ｅおよびエネルギー種別である水道、電気・ガス、ガソリン、灯油の文字が透き通って見える。」（段落［００２２］）、「図４では、エネルギー価格（エネルギー消費量指標値）として１６００円が指示されており、この場合、水道を１６００円分使用したとした場合には、発生する二酸化炭素ＣＯ２量は約５ｋｇ程度であることがわかり、同様に、電気・ガスを１６００円分使用した場合には約２５ｋｇの二酸化炭素ＣＯ２の発生があり、ガソリンの場合には約３５ｋｇ、灯油に至っては約８５ｋｇの二酸化炭素ＣＯ２が発生することがわかるようになっている。」（段落［００３１］）と記載されているが、特許文献１に記載された考案の計算尺は、円形で構造が複雑であり、操作し難いという問題があった。
【特許文献１】実用新案登録第３０９４３４０号公報
【０００８】
一方、二酸化炭素排出量計算以外の種々な用途に使用する計算尺が公知であり、その一つとして、「第一の目盛り板を、所定の目盛りを表記した矩形の板状部材で形成し、第二の目盛り板を、当該板状部材を摺動可能に包覆するとともに上記板状部材を視認可能な窓を空けて当該窓の枠部に所定の目盛りを表記した偏平筒体で形成したことを特徴とする流体輸送用計算尺。」が公知である（特許文献２参照）が、特許文献２に記載された計算尺は、偏平筒体に板状部材を視認可能な窓を空ける構造であるため、内容が読み取り難いものであった。また、特許文献２には、矩形の板状部材を複数設けて交換可能とすることは記載されていない。
【特許文献２】特開平５−１０８８５３公報
【０００９】
さらに、「スライド式計算尺であって、固定尺として所定期間の時刻を目盛りとした時間尺と、滑尺として所定の哺乳動物の雌の性周期に関する時期や期間などの雌の受精機能シーケンスを目盛りとした雌尺と、カーソルとして機能するとともに前記哺乳動物の雄の精子活動能力に関する時期や期間などの雄の受精機能シーケンスを目盛りとした雄尺とからなり、雌尺の目盛りは、時間尺と同じ尺度で、前記雌の発情期における特定の状態に対応するタイミングの指示と、排卵時期を起点とした卵子の受精能保持期間における卵子の受精能強度を面形状により表現した卵子受精能強度表示部とを含み、前記雄尺の目盛りは、透明板上に表示されて当該透明板上方から時間尺と雌尺のそれぞれの目盛りとともに読み取り可能とするとともに、時間尺と同じ尺度で、授精タイミングの指示と、精子の受精能保持期間における精子の受精能強度を面形状により表現した精子受精能強度表示部とを含み、卵子受精能強度表示部の面と精子受精能強度表示部の面は、雌尺と雄尺とが相対摺動するのに伴って重複し、当該重複面はそれぞれの受精能表示部の面と光学的状態が異なる、
ことを特徴とする哺乳動物用授精適期計算尺。」が公知である（特許文献３参照）が、特許文献３に記載された発明の計算尺は、図１〜３に示されているように、構造が複雑であり、厚く剛性のものであるから、透明板を使用しているが内容を読み取り難いという問題があった。また、特許文献３には、「雌尺と時間尺との摺動構造を改良し、雌尺を表裏で使用可能にすることが考えられる。すなわち、人工授精において管理された精子とは違って、受精機能シーケンスがより多様な雌に対応し、雌尺の表裏で受精機能シーケンスを示す目盛りの位置を変える。それによって、２つのスケジュールに対応することが可能となる。なお、雌尺を裏返し利用可能（リバーシブル）にする摺動構造については、時間尺の溝１２の断面形状とその形状に適合する雌尺２０の断面形状とを厚さ方向で対称にすればよい。」（段落［００３４］）と記載されているが、雌尺を複数設けて交換可能とすることは示唆されていない。
【特許文献３】特開２００６−１６７０２８号公報
【００１０】
また、体格指数による肥満とやせの体重早見計算尺が公知であり（特許文献４参照）、特許文献４には、「この考案は、短形の合成樹脂板に成人の身長を常用対数とする目盛２を直線状に設けた固定尺３と、該固定尺３に対し、対面位置に左右移動自在にセットされた滑尺４及びカーソル５により計算尺１を構成する。前記滑尺４には、体重の常用対数の目盛６が前記目盛２と平行になるように記載されると共に、該体重の目盛６と対応するようにＢＭＩの目盛７が、前記各目盛２、６と平行に記載されている。またカーソル５には、０％を真中基準線１０にして、左右に直線状に＋４０％から−３０％までの目盛８を記載してある。前記滑尺４は鞘状に固定尺３に嵌装され、カーソル５は鞘状に固定尺３に嵌装され、合成樹脂製であって共に左右移動自由にセットしてある。」（段落［００１０］）と記載されているが、固定尺、滑尺及びカーソルには、いずれも目盛があり、内容の読み取り易さを意図して合成樹脂製の固定尺及びカーソルを透明とすることを示唆するものではなく、滑尺を複数設けて交換可能とすることも示唆されていない。
【特許文献４】実開平６−５６８１５号公報
【発明の開示】
【発明が解決しようとする課題】
【００１１】
本発明は、上記のような従来技術の問題点を解決し、簡便に二酸化炭素排出量を計算することができ、内容が読み取り易く、操作い易い二酸化炭素排出量計算用計算尺を提供することを課題とする。
【課題を解決するための手段】
【００１２】
本発明においては、上記課題を解決するために、以下の手段を採用する。
（１）二酸化炭素排出量が表示されたアウタースケールに、二酸化炭素排出源のアイテム並びに前記二酸化炭素排出源を廃棄若しくは使用する数、時間若しくは量が表示されたシート状のインナースケールを差し込みスライドさせ、アウタースケールに表示された二酸化炭素排出量を読み取るように構成した二酸化炭素排出量計算用計算尺において、前記アウタースケールを透明で両端のあいた偏平な鞘状とし、かつ、前記アウタースケール１枚に対し前記インナースケールを複数枚として、前記複数枚のインナースケールにそれぞれ種類の異なる一群の二酸化炭素排出源のアイテム並びに前記二酸化炭素排出源を廃棄若しくは使用する数、時間若しくは量を表示し、インナースケールを交換可能としたことを特徴とする二酸化炭素排出量計算用計算尺である。
（２）前記アウタースケールは、透明なプラスチックシートを折り重ねて作製したものであることを特徴とする前記（１）の二酸化炭素排出量計算用計算尺である。
（３）前記インナースケールは、紙又はプラスチックシートからなることを特徴とする前記（１）又は（２）の二酸化炭素排出量計算用計算尺である。
（４）前記インナースケールのうちの１枚に前記二酸化炭素排出源である一群のリサイクル容器のアイテム並びに前記容器をリサイクルする個数を表示することを特徴とする前記（１）〜（３）のいずれか一項の二酸化炭素排出量計算用計算尺である。
（５）前記インナースケールのうちの１枚に前記二酸化炭素排出源である一群の交通手段のアイテム並びに前記交通手段を使用する距離を表示することを特徴とする前記（１）〜（３）のいずれか一項の二酸化炭素排出量計算用計算尺である。
（６）前記インナースケールのうちの１枚に前記二酸化炭素排出源である一群のゴミのアイテム並びに前記ゴミを廃棄する個数若しくは冊数を表示することを特徴とする前記（１）〜（３）のいずれか一項の二酸化炭素排出量計算用計算尺である。
（７）前記インナースケールのうちの１枚に前記二酸化炭素排出源である一群の水まわりの設備若しくは機器のアイテム並びに前記水まわりの設備若しくは機器を使用する回数を表示することを特徴とする前記（１）〜（３）のいずれか一項の二酸化炭素排出量計算用計算尺である。
（８）前記インナースケールのうちの１枚に前記二酸化炭素排出源である一群の電化製品のアイテム並びに前記電化製品を使用する時間を表示することを特徴とする前記（１）〜（３）のいずれか一項の二酸化炭素排出量計算用計算尺である。
（９）前記インナースケールは、両面を使用可能に構成され、前記数、時間若しくは量のうち小さな値が一方の面に、大きな値が他方の面に、それぞれ対数目盛で表示され、前記アウタースケールは、二酸化炭素排出量が、一方の面にｇの単位、他方の面にｋｇの単位を用いて対数目盛で表示され、前記インナースケールの小さな値が前記アウタースケールのｇの単位に、前記インナースケールの大きな値が前記アウタースケールのｋｇの単位に対応するように差し込まれて使用されることを特徴とする前記（１）〜（８）のいずれか一項の二酸化炭素排出量計算用計算尺である。
【発明の効果】
【００１３】
本発明は、アウタースケールを透明な両端のあいた偏平な鞘状とし、かつ、アウタースケール１枚に対しインナースケールを複数枚として、前記複数枚のインナースケールにそれぞれ種類の異なる一群の二酸化炭素排出源のアイテム並びに二酸化炭素排出源を廃棄若しくは使用する数、時間若しくは量を表示し、インナースケールを交換可能としたことにより、簡便に二酸化炭素排出量を計算することができ、インナースケールの二酸化炭素排出源のアイテム並びに二酸化炭素排出源を廃棄若しくは使用する数、時間若しくは量、アウタースケールの二酸化炭素排出量が読み取り易く、操作し易い二酸化炭素排出量計算用計算尺が得られるという効果を奏する。
【発明を実施するための最良の形態】
【００１４】
本発明の二酸化炭素排出量計算用計算尺は、図１に示すように、アウタースケール及びインナースケールを備えたものである。
二酸化炭素排出量が表示されたアウタースケールに、二酸化炭素排出源のアイテム並びに二酸化炭素排出源を廃棄若しくは使用する数、時間若しくは量が表示されたシート状のインナースケールを差し込みスライドさせ、アウタースケールの選択ガイドラインに、二酸化炭素排出量を算出したい対象アイテムの先端部分を合わせ、対象アイテムを廃棄若しくは使用する数、時間若しくは量に対応する箇所で、アウタースケールに表示された二酸化炭素排出量を読み取ることにより、二酸化炭素排出量を計算できるように構成されている。
以下、アウタースケール及びインナースケールについて、さらに詳しく説明する。
【００１５】
本発明においてアウタースケールは、両端のあいた偏平な鞘状のものであり、インナースケールを差し込み可能となっている。また、アウタースケールは透明であるから、差し込まれたインナースケールに表示された二酸化炭素排出源のアイテム並びに前記二酸化炭素排出源を廃棄若しくは使用する数、時間若しくは量を上方から容易に読み取ることができる。透明なプラスチックシートを２つに折り曲げて、重ね合わせ、端部を接着（溶着）して、偏平な鞘状のアウタースケールを作製することができる。
二酸化炭素排出量は、アウタースケールの上部又は下部に表示される。
アウタースケールは、両面を使用可能とすることが好ましく、その場合、一方の面（図１においては表面）の下部に、二酸化炭素排出量がグラム（ｇ）の単位を用いて対数目盛で表示され、他方の面には、裏返したときに上部になる位置（図１においては裏面の下部）に、二酸化炭素排出量がキログラム（ｋｇ）の単位を用いて対数目盛で表示される。
また、アウタースケールには、二酸化炭素排出量を算出したい二酸化炭素排出源のアイテムを位置合わせするための選択ガイドラインを設ける。選択ガイドラインは、アウタースケールの左右がほぼ均等となる中央の位置（下部に二酸化炭素排出量が１００ｇ又は１００ｋｇと表示された位置）に上下方向に亘る比較的太い帯状のラインとして設けることが好ましい。
【００１６】
インナースケールは、シート状であり、紙又はプラスチックシートから作製することが好ましい。紙としては、紙の表面に顔料及びバインダーを含有するコート層を設けたコート紙がより好ましい。
また、本発明においては、図２に示すように、アウタースケール１枚に対しインナースケールを複数枚（図２では、５枚：５種類）として、複数枚のインナースケールにそれぞれ種類の異なる一群の二酸化炭素排出源のアイテム並びに二酸化炭素排出源を廃棄若しくは使用する数、時間若しくは量を表示し、インナースケールを交換可能とする。
二酸化炭素排出源の種類としては、それぞれ一群のリサイクル容器、交通手段、ゴミ、水まわりの設備若しくは機器、電化製品等が挙げられる。一群のリサイクル容器についてはリサイクルする個数、一群の交通手段については使用する距離（量：ｋｍ）、一群のゴミについては廃棄（焼却等）する個数若しくは冊数、一群の水まわりの設備若しくは機器については使用回数、一群の電化製品については使用時間が、それぞれ、インナースケールの下部又は上部に表示される。インナースケールにおける数、時間若しくは量の表示の位置が下部である場合、アウタースケールにおける二酸化炭素排出量の表示の位置は、インナースケールを差し込んだときインナースケールにおける表示の位置のすぐ下になるようにするのが好ましく、インナースケールにおける数、時間若しくは量の表示の位置が上部である場合、アウタースケールにおける二酸化炭素排出量の表示の位置は、インナースケールを差し込んだときインナースケールにおける表示の位置のすぐ上になるようにするのが好ましい。
【００１７】
リサイクル容器のアイテムとしては、例えば、アルミ缶、スチール缶、ペットボトル、びん、食品トレイが表示され、交通手段のアイテムとしては、例えば、自動車（燃費１０ｋｍ）、ハイブリッド自動車（燃費３５．５ｋｍ）、飛行機、バス、鉄道が表示され、ゴミのアイテムとしては、例えば、段ボール、雑誌、新聞一日分、牛乳パック、卵パック、食品トレイ、レジ袋、アルミ缶（５００ｍｌ、３５０ｍｌ）、スチール缶（２５０ｍｌ、１９０ｍｌ）、ペットボトル（１５００ｍｌ、５００ｍｌ）ガラス瓶（１８００ｍｌ、６３３ｍｌ、３００ｍｌ）が表示され、水まわりの設備若しくは機器のアイテムとしては、例えば、洗濯乾燥機、洗濯機、風呂（沸かす都市ガス）、風呂（追い炊都市ガス）、シャワー（温水）、シャワー（水）、トイレ（温水洗浄／電気）、トイレ（小）、給湯、給水が表示され、電化製品のアイテムとしては、例えば、電子レンジ、電磁調理器、食器乾燥機、電気ストーブ、ガスコンロ、暖房エアコン（１９９７年製、２００７年製）、冷房エアコン（１９９７年製、２００７年製）、テレビ（ブラウン管）、テレビ（液晶）、冷蔵庫（１９９７年製、２００７年製）、蛍光灯（７８Ｗ）、蛍光灯（１９９７年製、２００７年製）、蛍光灯（電球６０型）、白熱灯（電球）、暖房ガス、暖房石油が表示される。
上記したそれぞれの二酸化炭素排出源のアイテム、すなわち、アルミ缶（リサイクル）、自動車（燃費１０ｋｍ）、段ボール、洗濯乾燥機、電子レンジ等は、インナースケールの中央部に、矢印の形態で表示されることが好ましい。
【００１８】
インナースケールは、両面を使用可能に構成し、好ましくは、二酸化炭素排出源を廃棄若しくは使用する数、時間若しくは量のうち小さな値が一方の面の下部に、大きな値が他方の面の上部に、それぞれ対数目盛で表示されるようにする（上記の下部、上部は反対でも良い）。例えば、リサイクル容器については、リサイクルする個数が３０個位までの小さな値（数）は一方の面に、３０個を超えるような大きな値（数）は他方の面に表示され、交通手段については使用距離が３０ｋｍ位までの小さな値（量）は一方の面に、３０ｋｍを超えるような大きな値（量）は他方の面に表示され、ゴミについては、廃棄する個数が３０個（３０冊）位までの小さな値（数）は一方の面に、３０個（３０冊）を超えるような大きな値（数）は他方の面に表示され、水まわりの設備若しくは機器については、使用回数が３０回位までの小さな値（数）は一方の面に、３０回を超えるような大きな値（数）は他方の面に表示され、電化製品については、使用時間が３０時間位までの小さな値（時間）は一方の面に、３０時間を超えるような大きな値（時間）は他方の面に表示される。この場合、インナースケールの小さな値がアウタースケールのｇの単位を用いて表示された二酸化炭素排出量に、インナースケールの大きな値がアウタースケールのｋｇの単位を用いて表示された二酸化炭素排出量に対応するように差し込まれて使用される。したがって、図２に示すように、インナースケールの小さな値が表示された面にｇの表記をしてｇ側とし、インナースケールの大きな値が表示された面にｋｇの表記をしてｋｇ側とすると良い。
【００１９】
本発明においては、必要に応じて、アウタースケールに、二酸化炭素排出量を読み取るためのスライドポインターをスライド可能に取り付けることもできる。
スライドポインターは、差し込まれたインナースケールに表示された二酸化炭素排出源のアイテム並びに二酸化炭素排出源を廃棄若しくは使用する数、時間若しくは量、アウタースケールに表示された二酸化炭素排出量を上方から容易に読み取ることができるように透明であり、アウタースケールに表示された二酸化炭素排出量を読み取るための読み取りライン（上下方向の細いライン）が設けられる。
【００２０】
次に、本発明の二酸化炭素排出量計算用計算尺の使用方法について、図３を用いて説明する。
例えば、暖房エアコン（１９９７年製）を８時間又は２００時間使用する場合の二酸化炭素（ＣＯ２）排出量を計算するには、以下のように行う。
１．図３（ａ）に示すように、透明なアウタースケールに、一群の電化製品及び使用時間が表示されたインナースケールを差し込む。その際、二酸化炭素排出量がｇで表示されたアウタースケールの面に、使用時間が３０時間までの小さな値が表示されたｇ側のインナースケールの面が対応するように差し込む。
２．図３（ｂ）に示すように、インナースケールを動かして、暖房エアコン（１９９７年）のアイテム（矢印で表示）の先端部分を、アウタースケールの選択ガイドライン（上下方向の赤い帯状ライン）に合わせる。
３．図３（ｃ）に示すように、インナースケールの下部に表示された白ぬきの数字を見て、８時間の位置を確認する。
４．図３（ｄ）に示すように、インナースケールの８時間の表示のすぐ下にあるアウタースケールの下部に表示されている二酸化炭素排出量の数値（ｇ）を読み取る。
８時間の場合、約９８０ｇになるのが分かる。
また、暖房エアコン（１９９７年製）を２００時間使用する場合の二酸化炭素排出量は、使用時間が３０時間までの小さな値が表示されたｇ側のインナースケールの面では、計算できない。その場合には、図３（ｅ）に示すように、裏にひっくり返して、３０時間を超える大きな値が上部に表示されたｋｇ側のインナースケールの面にして、インナースケールの２００時間の表示のすぐ上にあるアウタースケールの上部に表示されている二酸化炭素排出量の数値（ｋｇ）を読み取る。
２００時間の場合、約２４ｋｇになるのが分かる。
【００２１】
なお、上記の使用方法において示した暖房エアコン（１９９７年製）の二酸化炭素排出量の数値は、環境省「環境統計集」（平成１９年版）「算定・報告・公表制度における算定方法・排出係数一覧」、全国地球温暖化防止活動推進センター「身近な地球温暖化対策  家庭でできる１０の取り組み」及び同積算資料、環境省発表資料「家庭からの二酸化炭素排出量算定用排出係数一覧」（全国地球温暖化防止活動推進センターホームページ）等を根拠に設定したものであり、本発明における二酸化炭素排出量の数値は、他の二酸化炭素排出源についても、これらの資料を根拠に設定される。
【産業上の利用可能性】
【００２２】
以上のように、本発明の二酸化炭素排出量計算用計算尺は、簡便に二酸化炭素排出量を計算することができるものであるから、これを用いて、種々の二酸化炭素排出源をどの位の数、時間若しくは量で廃棄若しくは使用すれば、どの位の量の二酸化炭素が排出されるのかが容易に分かり、二酸化炭素の排出量を削減するための指標を提供することができる。したがって、本発明の二酸化炭素排出量計算用計算尺は、学校等における教習具として有用である。
【図面の簡単な説明】
【００２３】
【図１】本発明の二酸化炭素排出量計算用計算尺におけるアウタースケールとインナースケールの組合せを示す図である。
【図２】本発明の二酸化炭素排出量計算用計算尺における５種類のインナースケールを示す図である。
【図３】本発明の二酸化炭素排出量計算用計算尺の使用方法を示す図である。
【図１】
0004558783.tif 000002
【図２】
0004558783.tif 000003
【図３】
0004558783.tif 000004